(57)【要約】【課題】プリント回路板の反りの発生を抑制あるいは防止する。【解決手段】プリント配線板上に実装されるリード部品であって、単一の部品を複数連接した形状を備える。【選択図】図１
2011215543.tif 000002
【特許請求の範囲】
【請求項１】
プリント配線板上に実装されるリード部品であって、単一の部品を複数連接した形状を備えることを特徴とする基板反り規制部品。
【請求項２】
タンデム方式の画像形成装置における複数の転写ローラに転写バイアスを給電するための端子台であることを特徴とする請求項１記載の基板反り規制部品。
【請求項３】
絶縁材からなる部位を相互に連結されてなることを特徴とする請求項２記載の基板反り規制部品。
【請求項４】
請求項１〜３の何れか一項の基板反り規制部品がプリント配線上に実装されてなることを特徴とするプリント回路板。
【請求項５】
請求項４記載のプリント回路板を備えることを特徴とする画像形成装置。
【発明の詳細な説明】
【技術分野】
【０００１】
本発明は、基板反り規制部品、プリント回路板及び画像形成装置に関する。
【背景技術】
【０００２】
周知のように、タンデム方式の画像形成装置（カラーレーザープリンタ）は、シアン用感光ドラム、マゼンタ用感光ドラム、イエロー用感光ドラム及びブラック用感光ドラムを中間転写ベルトに沿って一列に配置し、これら各感光ドラム上の各色のトナーを中間転写ベルト上に順次重ねて転写することによってカラートナー像を形成し、このカラートナー像を記録紙に転写することによってカラー画像を形成するものである。各感光ドラム上の各色のトナーは、各感光ドラムと当該各感光ドラムに各々対応して設けられた各転写ローラとによって中間転写ベルトを押圧状態で挟みこむことによって中間転写ベルト上に転写される。例えば、下記特許文献には、このようなタンデム方式の画像形成装置が開示されている。
【０００３】
このような画像形成装置では、各感光ドラムに対応してそれぞれ設けられた転写ローラに転写バイアスを印加することによって、各感光ドラム上のトナー像を中間転写ベルトに転写するが、各転写ローラには、転写バイアス用高圧基板から接触端子を介して高圧の転写バイアスを給電している。
【先行技術文献】
【特許文献】
【０００４】
【特許文献１】特開２００７−２６１１５４号公報
【発明の概要】
【発明が解決しようとする課題】
【０００５】
ところで、上記転写バイアス用高圧基板が製造過程で反ると、各接触端子が各転写ローラと正常の接触することができなくなるので、転写バイアス用高圧基板の反りは画像形成装置を製造する上で克服しなければならない重要な技術課題である。転写バイアス用高圧基板は、中間転写ベルトに沿って一列に設けられる各転写ローラに対応して設けられる関係で長尺状に形状設定されるものであり、製造過程の半田接続工程等においてプリント配線板のプリント配線が熱収縮すること等によって長手方向に反り易い。また、転写バイアス用高圧基板の設置スペースの周辺には駆動モータなどが配置されており、スペースが限られている。
【０００６】
本発明は、上述した事情に鑑みたものであり、プリント回路板の反りの発生を抑制あるいは防止することを目的とするものである。また、プリント回路板を装置内のスペースに効率よく配置することを目的とするものである。
【課題を解決するための手段】
【０００７】
上記目的を達成するために、本発明は、基板反り規制部品に係る第１の解決手段として、プリント配線板上に実装されるリード部品であって、単一の部品を複数連接した形状を備える、という手段を採用する。
【０００８】
また、基板反り規制部品に係る第２の解決手段として、上記第１の解決手段において、タンデム方式の画像形成装置における複数の転写ローラに転写バイアスを給電するための端子台である、という手段を採用する。
【０００９】
基板反り規制部品に係る第３の解決手段として、上記第２の解決手段において、絶縁材からなる部位を相互に連結されてなる、という手段を採用する。
【００１０】
また、本発明では、プリント回路板に係る第１の解決手段として、上記第１〜第３の解決手段のいずれかの基板反り規制部品がプリント配線板上に実装されてなる、という手段を採用する。
【００１１】
また、本発明では、画像形成装置に係る第１の解決手段として、上記第１の解決手段に係るプリント回路板を備える、という手段を採用する。
【発明の効果】
【００１２】
本発明によれば、プリント配線板上に実装されるリード部品であって、単一の部品を複数連接した形状を備えるので、部品の延在方向を反りが発生し易い方向に設定することにより、反りの発生を抑制あるいは防止することが可能である。
【図面の簡単な説明】
【００１３】
【図１】本発明の一実施形態に係わるバイアス用高圧基板Ａ（プリント回路板）の構成を示す斜視図である。
【図２】本発明の一実施形態に係る画像形成装置１０の主要な構成を示す断面図である。
【発明を実施するための形態】
【００１４】
以下、図面を参照して、本発明の一実施形態について説明する。
本実施形態に係るバイアス用高圧基板Ａ（プリント回路板）は、図１に示すように、プリント配線板１、クリーニングバイアス給電端子台２、転写バイアス給電端子台３（基板反り規制部品）等からなる。なお、図１では、バイアス用高圧基板Ａの特徴に直接関係しない電子部品については省略している。
【００１５】
バイアス用高圧基板Ａは、図２に示すタンデム方式の画像形成装置１０に設けられる合計４つの転写ローラ１４Ｃ〜１４Ｂ（一次転写ローラ）、１つの二次転写ローラ１５及びクリーニング装置１６に備えられたクリーニングブラシ１６ａに高電圧バイアスを分配供給するプリント回路板である。
【００１６】
画像形成装置１０は、シアン用感光ドラム１１Ｃ、マゼンタ用感光ドラム１１Ｍ、イエロー用感光ドラム１１Ｙ及びブラック用感光ドラム１１Ｂからなる合計４つの感光ドラムを中間転写ベルト１２に沿って一列に配置し、各感光ドラム１１Ｃ〜１１Ｂに対応して設けられた現像装置１３Ｃ〜１３Ｂによって各感光ドラム１１Ｃ〜１１Ｂ上に各色のトナー像を形成し、当該各色のトナー像を中間転写ベルト１２上に順次重ねて転写することによってカラートナー像を形成し、当該カラートナー像を二次転写ローラ１５により、用紙収納部１７から供給される記録紙Ｐに転写することによってカラー画像を形成するものである。記録紙Ｐに転写されずに中間ベルト１２上に残留するトナーは、クリーニング装置１６に設けられたクリーニングブラシ１６ａにより電気的に吸着して除去される。
【００１７】
各感光ドラム１１Ｃ〜１１Ｂには、中間転写ベルト１２を挟む状態で転写ローラ１４Ｃ〜１４Ｂがそれぞれ設けられており、当該転写ローラ１４Ｃ〜１４Ｂ及び二次転写ローラ１５にはバイアス用高圧基板Ａを介して高電圧バイアス（転写バイアス）が供給される。各感光ドラム１１Ｃ〜１１Ｂ上のトナー像は、転写ローラ１４Ｃ〜１４Ｂに印加される高電圧バイアス（一次転写バイアス）の作用によって、各感光ドラム１１Ｃ〜１１Ｂ上から中間転写ベルト１２上に転写される。また、中間転写ベルト１２上のトナー像は、二次転写ローラ１５に印加される高電圧バイアス（二次転写バイアス）の作用によって、中間転写ベルト１２上から記録紙Ｐ上に転写される。さらに、クリーニング装置１６のクリーニングブラシ１６ａには高電圧バイアス（クリーニングバイアス）が供給され、その作用により中間転写ベルト１２上の残留トナーが除去される。
【００１８】
プリント配線板１は、紙フェノールを材料とする片面基板である。プリント配線板１における半田面は、裏面（第１、第２の転写バイアス給電端子台２、３が装着されない方の面）である。このようなプリント配線板１は、上記転写ローラ１４Ｃ〜１４Ｂが中間転写ベルト１２に沿って一列に配置されている関係で、図示するように長尺状に形状設定されている。
【００１９】
クリーニングバイアス給電端子台２は、接触端子２ａが樹脂（絶縁材）からなる筐体２ｂでモールドされた端子台（リード部品）であり、プリント配線板１の表面（部品面）に搭載されている。上記接触端子２ａは、筐体２ｂの下側（プリント配線板１側）に突出するリード端子（図視略）を介してプリント配線板１の半田面に設けられたプリント配線に半田接続されている。
【００２０】
転写バイアス給電端子台３は、５つの接触端子３ａが樹脂（絶縁材）からなる筐体３ｂでモールドされた端子台（リード部品）であり、上記クリーニングバイアス給電端子台２と同様にプリント配線板１の表面（部品面）に搭載されている。この転写バイアス給電端子台３は、５つの接触端子３ａを一定間隔で一列に配置するように形成された筐体３ｂを備える。すなわち、この転写バイアス給電端子台３は、単一の接触端子を有する一般的な端子台の筐体を一列に連結することにより、単一の接触端子を一列に連接したように構成されている。
【００２１】
このような筐体３ｂに支持された５つの接触端子３ａは、筐体３ｂの下側（プリント配線板１側）に突出するリード端子（図視略）を介してプリント配線板１の半田面に設けられたプリント配線にそれぞれ半田接続されている。このような転写バイアス給電端子台３は、本バイアス用高圧基板Ａにおける特徴的な構成要素、つまり基板反り規制部品である。
【００２２】
なお、図示しないが、プリント配線板１上には、高電圧発生回路を形成するための電子部品も実装されている。この高電圧発生回路は、上記高電圧バイアスを発生させる電子回路である。このような高電圧発生回路から出力された高電圧バイアスは、プリント配線板１の半田面に形成されたプリント配線を介して上記各接触端子２ａ、３ａに供給される。なお、電子部品と各接触端子２ａ、３ａはプリント配線板１の同じ面に設けられているため、プリント配線板１の高さが高くなるのを抑制できる。
【００２３】
このようなクリーニングバイアス給電端子台２及び転写バイアス給電端子台３は、図１に示すように各接触端子２ａ、３ａがプリント配線板１の一方の長辺に沿って一列に並ぶようにプリント配線板１上に実装されている。そして、プリント配線板１は、図２示すように、画像形成装置１０の後側板（図視略）に対して、各接触端子２ａ、３ａが水平方向に並ぶように直角に取り付けられている。後側板には各感光体ドラム１１Ｃ〜１１Ｂの駆動装置などが設けられているが、それらの間の限られたスペースにプリント配線板１を収納される。各接触端子３ａは、自らに対峙する位置に設けられた各転写ローラ１４Ｃ〜１４Ｂ及び二次転写ローラ１５に接触することにより、転写バイアスを各転写ローラ１４Ｃ〜１４Ｂ及び二次転写ローラ１５に給電する。また、接触端子２ａは、クリーニングブラシ１６ａに接触してクリーニングバイアスを給電する。
【００２４】
次に、本バイアス用高圧基板Ａの特徴的な作用効果について説明する。
本バイアス用高圧基板Ａは、プリント配線板１上にクリーニングバイアス給電端子台２及び転写バイアス給電端子台３を搭載して仮固定した状態で、例えば半田槽に浸漬することによって製造される。すなわち、クリーニングバイアス給電端子台２及び転写バイアス給電端子台３における各リード端子は、プリント配線板１の半田面が半田槽に浸漬されることによってプリント配線板１のプリント配線と半田接合される。
【００２５】
通常、プリント配線板として本バイアス用高圧基板Ａのプリント配線板１のような片面基板を使用した場合、半田付け処理によってプリント配線等が熱収縮するため、プリント回路板は、半田面側が凹、つまり部品面側が凸に反ることが多い。特に、バイアス用高圧基板Ａのプリント配線板１のように、プリント配線板が長尺状に形状設定されている場合には、長辺方向に反りが発生し易い。
【００２６】
しかしながら、本バイアス用高圧基板Ａでは、反りが発生し易いプリント配線板１の長手方向に延在するように転写バイアス給電端子台３が装着されているので、当該転写バイアス給電端子台３がプリント配線板１の反りを抑制あるいは防止する。すなわち、本バイアス用高圧基板Ａによれば、半田面の熱収縮に抗するように部品面の転写バイアス給電端子台３が突っ張るので、反りの発生を抑制あるいは防止することが可能である。
【００２７】
本バイアス用高圧基板Ａは、クリーニングバイアス給電端子台２及び転写バイアス給電端子台３の各接触端子２ａ、３ａがクリーニングブラシ１６ａ、各転写ローラ１４Ｃ〜１４Ｂ及び二次転写ローラ１５に接触することによって高電圧バイアスを給電するが、本バイアス用高圧基板Ａに反りが発生した場合には、各接触端子２ａ、３ａがクリーニングブラシ１６ａ、各転写ローラ１４Ｃ〜１４Ｂ及び二次転写ローラ１５に正常に接触することができない状態となるので、反りの発生を抑制あるいは防止することは極めて重要な成果である。
【００２８】
なお、本発明は、上記実施形態に限定されるものではなく、例えば以下のような変形例が考えられる。
（１）上記実施形態では、転写バイアス給電端子台３を基板反り規制部品として設けたが、本発明はこれに限定されない。端子台以外の機能部品を基板反り規制部品としても良い。例えばシールドケースを実装するプリント回路板の場合には、反りが発生し易い方向にシールドケースが延在するようにすること、つまりシールドケースを基板反り規制部品として機能させることが考えられる。
【００２９】
（２）上記実施形態の転写バイアス給電端子台３は、単一の接触端子を有する端子台を一列に連接したような構成を実現するために、各接触端子３ａをモールドする筐体３ｂ（絶縁材：樹脂）によって単一の接触端子を有する端子台を一列に一体化する構成を採用している。しかしながら、このような筐体３ｂに代えて、別途設けた連結専用部材によって単一の接触端子を有する端子台を一列に連接するようにしても良い。この場合の連結専用部材は、絶縁材に限定されない。
【００３０】
（３）上記実施形態では、バイアス用高圧基板Ａに基板反り規制部品を適用したが、本発明はこれに限定されない。画像形成装置には、バイアス用高圧基板Ａの他に様々なプリント回路板が実施されている。このような各種のプリント回路板においても、反りは取り付け上の不具合等、種々の不具合を発生させるので、解決しなければならない重要な問題である。
【００３１】
（４）さらに言えば、プリント回路板の反りは、画像形成装置に実装されるプリント回路板に限定されず、様々な電子機器における問題点である。したがって、本願発明は、画像形成装置に実装されるプリント回路板以外のプリント回路板に適用することができる。
【符号の説明】
【００３２】
Ａ…バイアス用高圧基板（プリント回路板）、１…プリント配線板、２…クリーニングバイアス給電端子台、３…転写バイアス給電端子台（基板反り規制部品）
【図１】
2011215543.tif 000003
【図２】
2011215543.tif 000004